(57)【特許請求の範囲】
【請求項１】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、設定可能な最高線速度で最適化された発光パターンおよびパルス長設定を基本とする記録方法であって、最短長の記録マークのパルス列には該最短長以外の記録マークのパルス列に与えられた記録パワーの最大値よりも低い記録パワーを割り当て、前記各記録パワーを前記光記録媒体の記録位置または記録線速度に応じて制御することを特徴とする光記録媒体への記録方法。
【請求項２】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、設定可能な最高線速度で最適化された発光パターンおよびパルス長設定を基本とする記録方法であって、前記少なくとも最短長の記録マークにおけるパルス列の先頭パルスには、該最短長以外の記録マークのパルス列に与えられた記録パワーの最大値よりも低い記録パワーを割り当て、かつ、前記各記録パワーを前記光記録媒体の記録位置または記録線速度に応じて制御することを特徴とする光記録媒体への記録方法。
【請求項３】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＜（最短長の記録マークの最終パルスに割り当てる記録パワー）＝（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴とする光記録媒体への記録方法。
【請求項４】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長以外の記録マークの最終パルスに割り当てる記録パワー）＜（最短長の記録マークの最終パルスに割り当てる記録パワー）＝（最短長以外の記録マークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴とする光記録媒体への記録方法。
【請求項５】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＜（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴とする光記録媒体への記録方法。
【請求項６】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＝（最短長以外の記録マークの最終パルスに割り当てる記録パワー）＜（最短長以外の記録マークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴とする光記録媒体への記録方法。
【請求項７】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＝（最短長以外の記録マークの前記マルチパルスに割り当てる記録パワー）＜（最短長以外の記録マークの先頭パルスに割り当てる記録パワー）＝（最短長以外の記録マークの最終パルスに割り当てる記録パワー）とし、前記各記録パワーを前記光記録媒体の記録位置または記録線速度に応じて制御することを特徴とする光記録媒体への記録方法。
【請求項８】
記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＝（最短長以外の記録マークの先頭パルスに割り当てる記録パワー）＜（最短長以外の記録マークの前記マルチパルスに割り当てる記録パワー）＝（最短長以外の記録マークの最終パルスに割り当てる記録パワー）とし、前記各記録パワーを記録位置あるいは記録線速度に応じて制御することを特徴とする光記録媒体への記録方法。
【請求項９】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、設定可能な最高線速度で最適化された発光パターンおよびパルス長設定を基本とする記録装置であって、最短長の記録マークのパルス列には該最短長以外の記録マークのパルス列に与えられた記録パワーの最大値よりも低い記録パワーを割り当て、前記各記録パワーを前記光記録媒体の記録位置または記録線速度に応じて制御することを特徴とする光記録媒体の記録装置。
【請求項１０】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、設定可能な最高線速度で最適化された発光パターンおよびパルス長設定を基本とする記録装置であって、少なくとも最短長の記録マークにおけるパルス列の先頭パルスには、該最短長以外の記録マークのパルス列に与えられた記録パワーの最大値よりも低い記録パワーを割り当て、かつ、前記各記録パワーを前記光記録媒体の記録位置または記録線速度に応じて制御することを特徴とする光記録媒体の記録装置。
【請求項１１】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＜（最短長の記録マークの最終パルスに割り当てる記録パワー）＝（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴とする光記録媒体への記録装置。
【請求項１２】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長以外の記録マーク以外用の最終パルスに割り当てる記録パワー）＜（最短長の記録マークの最終パルスに割り当てる記録パワー）＝（最短長以外のマークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴とする光記録媒体の記録装置。
【請求項１３】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長マークの最終パルスに割り当てる記録パワー）＜（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴とする光記録媒体の記録装置。
【請求項１４】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長の記録マークの最終パルスに割り当てる記録パワー）＝（最短長以外の記録マークの最終パルスに割り当てる記録パワー）＜（最短長以外の記録マークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴とする光記録媒体の記録装置。
【請求項１５】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長の記録マークの最終パルスに割り当てる記録パワー）＝（最短長以外の記録マークの前記マルチパルスに割り当てる記録パワー）＜（最短長以外の記録マークの先頭パルスに割り当てる記録パワー）＝（最短長以外の記録マークの最終パルスに割り当てる記録パワー）とし、前記各記録パワーを前記光記録媒体の記録位置または記録線速度に応じて制御することを特徴とする光記録媒体の記録装置。
【請求項１６】
記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長の記録マークの最終パルスに割り当てる記録パワー）＝（最短長以外の記録マークの先頭パルスに割り当てる記録パワー）＜（最短長以外の記録マークの前記マルチパルスに割り当てる記録パワー）＝（最短長以外の記録マークの最終パルスに割り当てる記録パワー）とし、前記各記録パワーを記録位置あるいは記録線速度に応じて制御することを特徴とする光記録媒体の記録装置。
【発明の詳細な説明】
【０００１】
【発明の属する技術分野】
本発明は、光記録媒体の記録方法および記録装置に関し、より詳細には、任意の記録線速度に対応できる記録ストラテジが容易に設定できるため、高密度光記録媒体へのＣＡＶ記録もしくはＺＣＡＶ記録、またはＣＬＶ記録で１倍速記録を含め、任意の１倍速以上の高線速度記録での記録が可能となるようにした光記録媒体の記録方法及び記録装置に関する。
【０００２】
【従来の技術】
例えば、特開平１１−２３２６５２号公報には、１倍速を越える高速記録においても、良好な記録を行うことができる記録方法が開示されている。この記録方法は、１倍速を超える高速記録を行うに際して、１倍速の記録における先頭パルスのパルス幅および後続パルスのパルス幅よりも、高速記録時の先頭パルスのパルス幅および後続パルスのパルス幅を大きく設定するか、あるいは１倍速を越える高速記録を行うに際して、記録用レーザ光のパワーを１倍速の記録の場合よりも大きく設定することを特徴とするものである。
【０００３】
現在、ＣＤ−ＲやＣＤ−ＲＷでは、記録時間の高速化（短縮化）のため、１倍速記録だけでなく、２倍速記録や４倍速記録が一般的に行われている。従って、より高密度で記録可能なＤＶＤにおいても、記録時間の短縮のため、高線速度記録の必要性が高まることは必至である。例えば、追記型ＤＶＤにおいて記録時間の短縮のために、ＣＡＶ記録や、ＺＣＡＶ記録を行う場合を考えた場合、最内周で１倍速記録とすると最外周では２.５倍速記録となる（記録可能な最内周半径と最外周半径によって決まる）。
【０００４】
【発明が解決しようとする課題】
ところで、広範囲の記録線速度に対応するために、記録線速度に合わせて記録パルス長のみを制御する方法は、基本的にジッタ改善の効果が不十分である。そのため、広範囲の記録線速度に対応するために、記録線速度に合わせて記録パルス長のみを制御する方法を用いた場合であっても、記録線速度に合わせて記録パワーも同時に制御しなければならない。
【０００５】
従って、記録パルス長の制御はできるだけ単純化する必要がある。なぜなら、制御パラメータを多くもつこと、あるいは複雑な制御パラメータをもつことは、パラメータの最適化を十分行えば、ジッタを非常に小さくすることが可能であるが、反面、パラメータのわずかなずれの組み合わせが、予想以上のジッタの悪化をもたらすといったデメリットもある。
【０００６】
従来の方法では、少なくとも複数の種類のマーク長の記録マークを形成するために、２つ以上のパルス列を用いて記録を行う、いわゆるマルチパルス記録を用いているため、パルス間の熱干渉影響の記録線速度依存性が大きく、このためにパルス長の制御をかなり細やかに行う必要がある。すなわち記録線速度あるいは記録位置に合わせて、各マーク長毎に異なる発光パルス長補正量を割り当てるのは勿論であるが、例えば前後のスペース長の組み合わせなどによっても個別に発光パルス長補正量を割り当てることが必要になる場合がある。
【０００７】
従って、任意の記録線速度あるいは記録位置に合わせて発光パルス長を制御する方法は、非常に制御箇所が多くなり煩雑化する恐れがある。例えば、各マークごとの発光パルス長補正量が大きく異なってしまったり、全てのマークに対して発光パルス長補正が必要になる。
【０００８】
また制御パラメータは、記録位置あるいは記録線速度に関する連続な１次関数あるいは連続な略一次関数で表されることが理想である。制御パラメータが連続な１次関数で表されない場合、記録線速度あるいは記録位置誤差等に対する最適制御パラメータ値の変動量が、対応記録線速度内で一定値とならず、またある記録線速度範囲で記録線速度あるいは記録位置に対して最適制御パラメータ値が急激に変動するため、ジッタの悪化を十分防止することができなくなる。また制御パラメータが不連続な場合も、ある記録線速度範囲で記録線速度あるいは記録位置に対して最適制御パラメータ値が急激に変動するため、ジッタの悪化を防止することができなくなる。
【０００９】
具体的にＤＶＤ−Ｒで記録時間短縮のためにＣＡＶ記録を行おうとする場合、先述のように最内周で１倍速記録とすると最外周では２.５倍速記録となる。
ＤＶＤ−Ｒの規格では（１倍速記録時）、ｎ−２のマルチパルス記録が規定されており、例えば３Ｔ記録用のパルスは３−２＝１個、４Ｔ記録用のパルスは４−２＝２個から形成される。図９は、上記ｎ−２における６Ｔ記録用のパルスデータを示す図で、４個のパルスにより発光波形が形成されている。
【００１０】
しかし、マルチパルス記録で２.５倍速記録に対応させようとした場合、ｎ−２では短マーク形成へのエネルギ−が不足し、ｎ−１でないと１倍速記録時と同等な記録特性を得ることができない。ｎ−１の場合、例えば３Ｔ記録用のパルスは３−１＝２個、４Ｔ記録用のパルスは４−１＝３個から形成される。図１０は、上記ｎ−１における６Ｔ記録用のパルスデータを示す図で、５個のパルスにより発光波形が形成されている。従って、ＣＡＶ記録で記録位置に合わせて記録パルス長を制御する場合、どこかの記録位置でｎ−１とｎ−２の切り替えを行わなければならない。
【００１１】
上述したように、パラメータの制御の容易さやジッタ特性の均一化という要請から、ｎ−１からｎ−２へは連続的に制御できるようにする必要性がある。ｎ−１からｎ−２への連続的制御方法の１つとして、記録線速度あるいは記録位置に合わせて、最終パルスをマルチパルス中の最後尾パルスに近づける方法があるが（同一の記録マーク長を形成するために３つ以上のパルス列を用いる場合、先頭にくるパルスを先頭パルス、最後にくるパルスを最終パルス、それ以外のパルスをマルチパルスと呼ぶことにする）、実際２つの連続するパルスの間隔を０にまで近づけるには限界がある。また、先頭パルスをマルチパルス中の先頭パルスに近づける方法の場合も同様である。
【００１２】
また、ｎ−１からｎ−２への連続的制御方法の他の方法として、記録線速度あるいは記録位置に合わせて、最終パルスをマルチパルス中の最後尾パルスに近づけながら、最終パルスのパルス幅を狭める方法があるが、最終パルス幅をゼロまで狭めることも限界がある（無限に小さいパルス幅の設定は不可能である）。従って、ｎ−１からｎ−２へのパルス長の連続的制御は不可能である。また、先頭パルスをマルチパルス中の先頭パルスに近づけながら、先頭パルスのパルス幅を狭める方法の場合も同様である。
【００１３】
本発明は、上述のごとき実情に鑑みてなされたもので、簡単な制御方法でＣＡＶ、ＺＣＡＶ記録が可能な記録方法及び記録装置を提供することを目的とする。またＣＬＶ記録であっても、１倍速記録を含め、１倍速を越える任意の高線速度記録において、簡単な制御方法で記録が可能な記録方法及び記録装置を提供することを目的とする。
また任意の記録線速度あるいは記録位置に対応できる記録ストラテジが容易に設定でき、任意の記録線速度あるいは記録位置での記録ストラテジの補正パラメータが、記録線速度あるいは記録位置に対して連続関数で制御できる高密度光記録媒体の記録方法及び記録装置を提供することを目的とする。
【００１８】
【課題を解決するための手段】
請求項１の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、設定可能な最高線速度で最適化された発光パターンおよびパルス長設定を基本とする記録方法であって、最短長の記録マークのパルス列には該最短長以外の記録マークのパルス列に与えられた記録パワーの最大値よりも低い記録パワーを割り当て、前記各記録パワーを前記光記録媒体の記録位置または記録線速度に応じて制御することを特徴としたものである。
【００１９】
請求項２の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、設定可能な最高線速度で最適化された発光パターンおよびパルス長設定を基本とする記録方法であって、前記少なくとも最短長の記録マークにおけるパルス列の先頭パルスには、該最短長以外の記録マークのパルス列に与えられた記録パワーの最大値よりも低い記録パワーを割り当て、かつ、前記各記録パワーを前記光記録媒体の記録位置または記録線速度に応じて制御することを特徴としたものである。
【００２０】
請求項３の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＜（最短長の記録マークの最終パルスに割り当てる記録パワー）＝（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴としたものである。
【００２１】
請求項４の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長以外の記録マークの最終パルスに割り当てる記録パワー）＜（最短長の記録マークの最終パルスに割り当てる記録パワー）＝（最短長以外の記録マークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴としたものである。
【００２２】
請求項５の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＜（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴としたものである。
【００２３】
請求項６の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＝（最短長以外の記録マークの最終パルスに割り当てる記録パワー）＜（最短長以外の記録マークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴としたものである。
【００２４】
請求項７の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＝（最短長以外の記録マークの前記マルチパルスに割り当てる記録パワー）＜（最短長以外の記録マークの先頭パルスに割り当てる記録パワー）＝（最短長以外の記録マークの最終パルスに割り当てる記録パワー）とし、前記各記録パワーを前記光記録媒体の記録位置または記録線速度に応じて制御することを特徴としたものである。
【００２５】
請求項８の発明は、記録線速度を可変とする光記録媒体に、複数の種類のマーク長の記録マークを記録情報に応じて形成する光記録媒体の記録方法において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録方法であって、（最短長の記録マークの先頭パルスに割り当てる記録パワー）＝（最短長の記録マークの最終パルスに割り当てる記録パワー）＝（最短長以外の記録マークの先頭パルスに割り当てる記録パワー）＜（最短長以外の記録マークの前記マルチパルスに割り当てる記録パワー）＝（最短長以外の記録マークの最終パルスに割り当てる記録パワー）とし、前記各記録パワーを記録位置あるいは記録線速度に応じて制御することを特徴としたものである。
【００３０】
請求項９の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、設定可能な最高線速度で最適化された発光パターンおよびパルス長設定を基本とする記録装置であって、最短長の記録マークのパルス列には該最短長以外の記録マークのパルス列に与えられた記録パワーの最大値よりも低い記録パワーを割り当て、前記各記録パワーを前記光記録媒体の記録位置または記録線速度に応じて制御することを特徴としたものである。
【００３１】
請求項１０の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、設定可能な最高線速度で最適化された発光パターンおよびパルス長設定を基本とする記録装置であって、前記少なくとも最短長の記録マークにおけるパルス列の先頭パルスには、該最短長以外の記録マークのパルス列に与えられた記録パワーの最大値よりも低い記録パワーを割り当て、かつ、前記各記録パワーを前記光記録媒体の記録位置または記録線速度に応じて制御することを特徴としたものである。
【００３２】
請求項１１の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＜（最短長の記録マークの最終パルスに割り当てる記録パワー）＝（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴としたものである。
【００３３】
請求項１２の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長以外の記録マーク以外用の最終パルスに割り当てる記録パワー）＜（最短長の記録マークの最終パルスに割り当てる記録パワー）＝（最短長以外のマークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴としたものである。
【００３４】
請求項１３の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長マークの最終パルスに割り当てる記録パワー）＜（最短長以外の記録マークの先頭パルスに割り当てる記録パワー）＝（最短長以外の記録マークの前記マルチパルスに割り当てる記録パワー）＝（最短長以外の記録マークの最終パルスに割り当てる記録パワー）とし、前記各記録パワーを前記光記録媒体の記録位置または記録線速度に応じて制御することを特徴としたものである。
【００３５】
請求項１４の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長の記録マークの最終パルスに割り当てる記録パワー）＝（最短長以外の記録マークの最終パルスに割り当てる記録パワー）＜（最短長以外の記録マークの先頭パルスに割り当てる記録パワー）＝（最短長以外の記録マークの前記マルチパルスに割り当てる記録パワー）とし、前記各記録パワーを前記光記録媒体の記録位置または記録線速度に応じて制御することを特徴としたものである。
【００３６】
請求項１５の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長の記録マークの最終パルスに割り当てる記録パワー）＝（最短長以外の記録マークの前記マルチパルスに割り当てる記録パワー）＜（最短長以外の記録マークの先頭パルスに割り当てる記録パワー）＝（最短長以外の記録マークの最終パルスに割り当てる記録パワー）とし、前記各記録パワーを前記光記録媒体の記録位置または記録線速度に応じて制御することを特徴としたものである。
【００３７】
請求項１６の発明は、記録線速度を可変とする光記録媒体に、複数の種類のマーク長の記録マークを記録情報に応じて形成する手段を有する光記録媒体の記録装置において、前記記録マークは、２つ以上のパルスよりなるパルス列を用いたマルチパルス記録法により形成され、該パルス列は、最短長の記録マークの前記パルス列が１つの先頭パルスと１つの最終パルスとから構成され、前記最短長以外の記録マークの前記パルス列が１つの先頭パルスと１つ以上のパルスよりなるマルチパルスと１つの最終パルスとから構成され、設定可能な最高線速度で最適化された発光パターンおよびパルス長設定を基本とする記録装置であって、（最短長の記録マークの先頭パルスに割り当てる記録パワー）＝（最短長の記録マークの最終パルスに割り当てる記録パワー）＝（最短長以外の記録マークの先頭パルスに割り当てる記録パワー）＜（最短長以外の記録マークの前記マルチパルスに割り当てる記録パワー）＝（最短長以外の記録マークの最終パルスに割り当てる記録パワー）とし、前記各記録パワーを記録位置あるいは記録線速度に応じて制御することを特徴としたものである。
【００３８】
【発明の実施の形態】
本発明のキーポイントは、
（１）記録パルス長の設定は固定（但し、記録パルス長は記録周波数で規格化された値）であること、
（２）異なる記録パルスに異なる記録パワーを割り当てる、あるいは異なる記録パルスを特定の組に分類し、各分類群に異なる記録パワーを割り当てること、
（３）設定可能な最高線速度で最適化された発光パターンおよびパルス長設定を基本とすること、である。
【００３９】
すなわち、本発明では、異なる記録パルスに異なる記録パワーを割り当てる、あるいは異なる記録パルスを特定の組に分類し、各分類群に異なる記録パワーを割り当て、この記録パワーを記録線速度あるいは記録位置に合わせて制御するのみとし、記録パルス長は記録周波数を基準として設定し、この値は記録媒体の記録線速度あるいは記録位置が変わっても同一値とする。従って、記録パルス長の制御は行わなくてよい。ただし、本発明の方法に記録パルス長の制御を付加することを否定するものではない。また、本発明では設定可能な最高線速度で最適化された発光パターンおよびパルス長設定を基本とするため、設定可能な最低記録線速はもとより、設定可能な最高記録線速で、記録パワーが設定許容範囲を超えることを防止できる。
【００４０】
本発明を適用する、記録マークを形成するためのパルス列における異なる種類のパルスとは、異なる記録マーク長形成のために用いられるパルス、あるいは同一記録マーク形成のためのパルスが複数のパルスよりなるパルス列である場合は、そのパルス位置が異なるパルスを指す。例えばＤＶＤ−Ｒで規定されている記録ストラテジでは（文献「ＤＶＤ Ｓｐｅｃｉｆｉｃａｔｉｏｎｓ ｆｏｒ Ｒｅｃｏｒｄａｂｌｅ Ｄｉｓｋ （ＤＶＤ−Ｒ） Ｐａｒｔ１ ＰＨＹＳＩＣＡＬ ＳＰＥＣＩＦＩＣＡＴＩＯＮＳ Ｖｅｒｓｉｏｎ １.９ Ｊｕｌｙ １９９８」を参照）、３Ｔ記録用の発光パルスは１つの先頭パルスから、４Ｔ記録用の発光パルスは１つの先頭パルスと１つの最終パルスから、５Ｔ記録用の発光パルスは１つの先頭パルスと１つのマルチパルスと１つの最終パルスから、６Ｔ記録用の発光パルスは１つの先頭パルスと２つのマルチパルスと１つの最終パルスからというように順次構成されるが、例えば、３Ｔと４Ｔの先頭パルスは、本発明では異なる種類のパルスとなる。また同様に、５Ｔ中の先頭パルスとマルチパルスと最終パルスは、それぞれ互いに異なる種類のパルスとなる。
【００４１】
上述の説明では、少なくとも複数の種類のマーク長に対して、その記録マーク形成のために２つ以上のパルスによるパルス列を用いて記録を行う、いわゆるマルチパルス記録の例を挙げたが、本発明では、全ての記録マーク長に対する発光パルスが１つからなる、いわゆる矩形波記録であっても構わない。
【００４２】
また、本発明が適用されるのは、記録方式がＣＡＶ記録あるいはＺＣＡＶ記録である場合だけでなく、ＣＬＶ記録であっても、１倍速記録を含め、任意の１倍速を越える高線速度記録を行う場合に適用できる。すなわち、記録装置として、１倍速記録や２倍速記録、あるいはそれ以上の倍速記録をサポートする場合に本発明は有効である。
【００４３】
（比較例）
厚さ０.６ｍｍ、トラックピッチ０.７４（μｍ）のポリカーボネート基板上（４.７ギガバイト対応）に図１の化合物を主成分とする記録層をスピンコートによって成膜し、その上にスパッタにより金反射層、さらに紫外線硬化型樹脂からなる保護層を設け、光記録媒体を作成した。この光記録媒体に対して、１倍速記録用のストラテジと２.５倍速用のストラテジの最適化を行った（但し、全てのパルスに同一の記録パワーを割り当てる方式を用いた）。なお、記録装置（記録再生装置）は、パルステック工業製のＤＤＵ−１０００（波長が６６０（ｎｍ）、開口率ＮＡが０.６３、タンジェンシャル方向（円周方向）のビーム径（１／ｅ2）が０.９０（μｍ）、ラジアル方向（半径方向）のビーム径（１／ｅ2）が０.９２（μｍ）、タンジェンシャル方向のリムインテンシティが０.５６０、ラジアル方向のリムインテンシティが０.４０２）を用いた。
【００４４】
上記の結果、１倍速記録時（３.５ｍ／ｓ、記録周波数２６.２３ＭＨｚ）には１倍速記録用に最適化されたストラテジを用いることで、記録パワー９.８（ｍｗ）の時、６.３（％）のジッタが得られた。また、２.５倍速記録時（８.５ｍ／ｓ、記録周波数６３.７ＭＨｚ）には２.５倍速記録用に最適化されたストラテジを用いることで、記録パワー１４.５（ｍｗ）の時、７.２（％）のジッタが得られた。
【００４５】
まず、上記で求められた１倍速記録用に最適化されたストラテジを用いて、高線速度記録への対応性を評価した。具体的には、上記の１倍速記録用に最適化されたストラテジの発光パルス長（記録周波数で規格化された値を用いている。つまり、実際の発光パルス時間は（記録周波数で規格化された発光パルス長の設定値）×（１０００／記録周波数）（ｎｓ）で表される。従って、設定値上は発光パルス長は不変でも、実際の発光時間は記録周波数に合わせて変化する）は固定し、記録線速度に応じて記録パワーのみを、ジッタが最小となるように調整した。
【００４６】
上記の評価結果は図２に示すとおりで、記録線速度が上がると急激にジッタが悪化した。また、記録パワーも記録線速度が上がると急激に上昇し、レーザの発振パワー値の制限から（本実験装置での上限パワーは、１５.０（ｍｗ））、図３に示すように、おおよそ記録線速度が７.０（ｍ／ｓ）までしか対応できないことがわかった。したがって、１倍速時に最適化された発光パターンおよびパルス最長設定を基本とする記録ストラテジでは、高記録線速時の記録パワーの点で、ＣＡＶあるいはＺＣＡＶ記録、あるいは高記録線速となるＣＬＶ記録には対応できないことが確認できた。ただし、図３中の縦軸Ｐｏは最適記録パワーを意味するものである。なお、ＣＡＶあるいはＺＣＡＶ記録を考えた場合、記録線速度は３.５（ｍ／ｓ）から８.５（ｍ／ｓ）をカバーする必要がある。従って、１倍速記録用に最適化されたストラテジでは、記録パワーおよびジッタの点で、ＣＡＶあるいはＺＣＡＶ記録には対応できない。またＣＬＶ記録の場合、記録パワーおよびジッタの点で、高倍速記録へ対応できない（ジッタは無視しても、記録パワーの制約から２倍速までが限界である）。
【００４７】
次に、２.５倍速記録用に最適化されたストラテジを用いて、低線速度記録への対応性を評価した。具体的には、上記で求められた２.５倍速記録用に最適化されたストラテジの発光パルス長（記録周波数で規格化された値を用いている。つまり、実際の発光パルス時間は（記録周波数で規格化された発光パルス長の設定値）×（１０００／記録周波数）（ｎｓ）で表される。従って、設定値上は発光パルス長は不変でも、実際の発光時間は記録周波数に合わせて変化する）は固定し、記録線速度に応じて記録パワーのみを、ジッタが最小となるように調整した。
【００４８】
その結果は図４に示すとおりで、記録線速度が５.０（ｍ／ｓ）程度までは、ほぼフラットなジッタ特性が得られたが、５.０（ｍ／ｓ）以下に記録線速度が下がると急激にジッタが悪化した。なお、２.５倍速記録用に最適化されたストラテジを用いて、低線速度記録へ対応させる場合は、２.５倍速記録用にストラテジを最適化する場合に記録パワーが上限値を超えないような条件下で最適化していること、また低記録線速度になるほど記録パワーは低くなるため、１倍速記録用に最適化されたストラテジを用いて、高線速度記録へ対応させる時のような記録パワーの問題はない（図５参照）。ただし、図５中の縦軸Ｐｏは最適記録パワーを意味するものである。したがって、２.５倍速時に最適化された発光パターンおよびパルス長設定を基本とする記録ストラテジは、高記録線速時の記録パワーも設定許容範囲内におさめることが可能となるため、ＣＡＶあるいはＺＣＡＶ記録、あるいは高記録線速となるＣＬＶ記録に対応できることが確認できた。
【００４９】
ＣＡＶあるいはＺＣＡＶ記録を考えた場合、記録線速度は３.５（ｍ／ｓ）から８.５（ｍ／ｓ）をカバーする必要がある。従って、２.５倍速記録用に最適化されたストラテジでは、ジッタの点で、ＣＡＶあるいはＺＣＡＶ記録には対応できない。またＣＬＶ記録の場合、ジッタの点で、低倍速記録へ対応できない。
【００５０】
（実施例）
本発明の記録方法の効果を確認する実験について説明する。ここでは、２.５倍速記録用に最適化されたストラテジを用いて（記録線速度８.５ｍ／ｓ、記録周波数６３.７ＭＨｚで最適化した記録ストラテジで記録周波数に基づく発光パルス長の設定は固定）、３ＴTop，３ＴLast，４ＴTop，４ＴMP，４ＴLastにそれぞれ独立に２種類の記録パワーを割り当てて、１倍速記録（記録線速度３.５ｍ／ｓ、記録周波数２６.２３ＭＨｚ）でのジッタを測定した（なお、４ＴTop，４ＴMP，４ＴLastとは、それぞれ４Ｔ以上のマーク長用のパルス長を示す）。なお、２種類の記録パワーは９.０（ｍｗ）（＝Ｗ１）と８.５（ｍｗ）（＝Ｗ２）とした。
【００５１】
上記の結果は表１に示すとおりで、４ＴTop，４ＴMP，４ＴLastのうち少なくとも２つにはＷ１を割り当て、３ＴTop，３ＴLastにはＷ２（＜Ｗ１）を割り当てる方法が有効であることがわかった。なかでも少なくとも４ＴTop，４ＴMPにはＷ１に設定した記録パワーの割り当てが、２.５倍速記録用に最適化されたストラテジでも１倍速記録で良好なジッタが得られることがわかる。また、少なくとも４ＴTop，４ＴMPにＷ１を割り当て、少なくとも３ＴTopにはＷ２（＜Ｗ１）を割り当てる方法が有効であることがわかった。
【００５２】
【表１】
0003719889.tif 000002
【００５３】
上記実験の結果、本発明の記録方法により、２.５倍速記録用に最適化されたストラテジを用いても（記録周波数で規格化された発光パルス長の設定は固定）、１倍速記録に対応できることが確認された。
【００５４】
次に、本発明の記録方法によって、２.５倍速記録用に最適化されたストラテジを用いても（記録周波数で規格化された発光パルス長の設定は固定）、２.５倍速記録から１倍速記録まで、連続的にＷ１とＷ２を変化させることで、任意の記録線速度で低ジッタが得られるかを確認した。すなわち、２.５倍速記録から１倍速記録まで、記録線速度に対して最適Ｗ１および最適Ｗ２が連続な１次関数となるかを確認した（記録線速度に対して最適Ｗ１および最適Ｗ２が連続な１次関数で表されれば、記録パワーの制御が非常に簡単で、またジッタ特性の均一化を図ることができる）。
【００５５】
而して、各記録線速度に対する最適Ｗ１と最適Ｗ２を求めた結果、図６に示すようになった。これにより、記録線速度に対して最適Ｗ１および最適Ｗ２を連続な１次関数で表すことができるだけでなく、最適Ｗ１の記録線速度依存性と、最適Ｗ２の記録線速度依存性が同じであるため（１次関数の傾きが同一）、記録パワー管理がより一層容易になることがわかった。また、記録線速度あるいは記録位置の変動に対する最適Ｗ１と最適Ｗ２の変動量は、任意の記録線速度あるいは記録位置で同一であるから、ジッタ特性の均一化を図ることができるというメリットがある。
【００５６】
また、図６に示されたＷ１およびＷ２を用いることで、各記録線速度におけるジッタを評価した結果、図７のようになった（図７は３ＴTOP＝Ｗ２，３ＴLAST＝Ｗ２、４ＴTOP＝Ｗ１，４ＴMP＝Ｗ１，４ＴLAST＝Ｗ２とした場合の結果である）。
【００５７】
上記により、本発明の記録方法を用いることで、記録パワーを記録線速度、あるいは記録位置に合わせて制御するだけで、記録ストラテジの発光パルス長を一定値に固定しても、２.５倍速記録から１倍速記録まで低ジッタが達成できる記録を行うことができることがわかった。また比較のために、本発明でＷ１およびＷ２の制御を行わなかった場合、すなわちＷ１＝Ｗ２として評価した結果を図８に示した。
【００５８】
以上の結果から、表１で、３ＴTop＝Ｗ２，３ＴLast＝Ｗ１，４ＴTop＝Ｗ１，４ＴMP＝Ｗ１，４ＴLast＝Ｗ１の記録パワー割り当て方法が低記録線速度でのジッタ低減に有効であることが確認できたため、請求項３に記載の光記録媒体への記録方法と、請求項１１に記載の光記録媒体の記録装置が、高密度光記録媒体への可変記録線速度による記録、あるいはＣＡＶ記録やＺＣＡＶ記録に非常に有効であることが証明された。
【００５９】
また、表１で、３ＴTop＝Ｗ２，３ＴLast＝Ｗ１，４ＴTop＝Ｗ１，４ＴMP＝Ｗ１，４ＴLast＝Ｗ２の記録パワー割り当て方法が低記録線速度でのジッタ低減に有効であることが確認できたため、請求項４に記載の光記録媒体の記録方法と、請求項１２に記載の光記録媒体の記録装置が、高密度光記録媒体への可変記録線速度による記録、あるいはＣＡＶ記録やＺＣＡＶ記録に非常に有効であることが証明された。
【００６０】
また、表１で、３ＴTop＝Ｗ２，３ＴLast＝Ｗ２，４ＴTop＝Ｗ１，４ＴMP＝Ｗ１，４ＴLast＝Ｗ１の記録パワー割り当て方法が低記録線速度でのジッタ低減に有効であることが確認できたため、請求項５に記載の光記録媒体の記録方法と、請求項１３に記載の光記録媒体の記録装置が、高密度光記録媒体への可変記録線速度による記録、あるいはＣＡＶ記録やＺＣＡＶ記録に非常に有効であることが証明された。
【００６１】
また、表１で、３ＴTop＝Ｗ２，３ＴLast＝Ｗ２，４ＴTop＝Ｗ１，４ＴMP＝Ｗ１，４ＴLast＝Ｗ２の記録パワー割り当て方法が低記録線速度でのジッタ低減に有効であることが確認できたため、請求項６に記載の光記録媒体の記録方法と、請求項１４に記載の光記録媒体の記録装置が、高密度光記録媒体への可変記録線速度による記録、あるいはＣＡＶ記録やＺＣＡＶ記録に非常に有効であることが証明された。
【００６２】
また、表１で、３ＴTop＝Ｗ２，３ＴLast＝Ｗ２，４ＴTop＝Ｗ１，４ＴMP＝Ｗ２，４ＴLast＝Ｗ１の記録パワー割り当て方法が低記録線速度でのジッタ低減に有効であることが確認できたため、請求項７に記載の光記録媒体の記録方法と、請求項１５に記載の光記録媒体の記録装置が、高密度光記録媒体への可変記録線速度による記録、あるいはＣＡＶ記録やＺＣＡＶ記録に非常に有効であることが証明された。
【００６３】
また、表１で３ＴTop＝Ｗ２，３ＴLast＝Ｗ２，４ＴTop＝Ｗ２，４ＴMP＝Ｗ１，４ＴLast＝Ｗ１の記録パワー割り当て方法が低記録線速度でのジッタ低減に有効であることが確認できたため、請求項８に記載の光記録媒体の記録方法と、請求項１６に記載の光記録媒体の記録装置が、高密度光記録媒体への可変記録線速度による記録、あるいはＣＡＶ記録やＺＣＡＶ記録に非常に有効であることが証明された。
【００６４】
なお、本実施例では４.７ＧＢ−ＤＶＤの記録線速度（３.５ｍ／ｓ）と記録周波数（２６.２３ＭＨｚ）を基準に考えたが、本発明はこれに限定されるものではない（なお規格では、記録線速度３.４９ｍ／ｓ、記録周波数２６.１６ＭＨｚが決められているが、実験装置上、記録線速度は０.１ｍ／ｓ単位でしか制御できないため、１倍速記録時は記録線速度３.５０ｍ／ｓ、記録周波数２６.２３ＭＨｚで対応した）。
【００６５】
また、高記録線速度対応の例として４.７ＧＢ−ＤＶＤでＣＡＶ記録に対応した場合の最外周での記録線速度８.５（ｍ／ｓ）（＝２.５倍速）を考えたが、本発明はこれに限定されるものではない（記録線速度の上限値が８.５ｍ／ｓや２.５倍速記録に限定されるものではない）。なお、本実施例および比較例においては、再生は全て３.５（ｍ／ｓ）で評価した。
【００６６】
【発明の効果】
本発明の記録方法によって、任意の記録線速度に対応できる記録ストラテジが容易に設定できるため、高密度光記録媒体へのＣＡＶ記録あるいはＺＣＡＶ記録、およびＣＬＶ記録であっても１倍速記録を含めた任意の１倍速以上の高線速度記録での記録が可能となる。
【００６７】
また、本発明の方法によって、高密度光記録媒体へのＣＡＶ記録あるいはＺＣＡＶ記録、およびＣＬＶ記録であっても１倍速記録を含めた任意の１倍速以上の高線速度記録で低ジッタ化が達成できる。
【００６８】
さらに、ＣＡＶ記録あるいはＺＣＡＶ記録、及びＣＬＶ記録で１倍速記録を含めた任意の１倍速以上の高線速度記録を可能とさせる本発明の記録方法および記録装置は、記録パワーの簡単な連続的制御で十分な効果が得られる。
【図面の簡単な説明】
【図１】  本発明の実施例の評価に用いた光記録媒体に形成された記録層の組成を示す化学式である。
【図２】  １倍速記録用に最適化されたストラテジによる高線速度記録への対応性の評価結果を示すグラフである。
【図３】  図２の対応性の評価における記録パワーを示すグラフである。
【図４】  ２.５倍速記録用に最適化されたストラテジによる低線速度記録への対応性の評価結果を示すグラフである。
【図５】  図４の対応性の評価における記録パワーを示すグラフである。
【図６】  線速度に応じて制御する２種の記録パワー（Ｗ１，Ｗ２）を示すグラフである。
【図７】  図６の記録パワーによって得られたジッタを示すグラフである。
【図８】  図７の比較例として、Ｗ１，Ｗ２の制御を行わなかったときのジッタを示すグラフである。
【図９】  ｎ−２のマルチパス記録における６Ｔデータのパルスを説明するための図である。
【図１０】  ｎ−１のマルチパス記録における６Ｔデータのパルスを説明するための図である。
【図１】
0003719889.tif 000003
【図２】
0003719889.tif 000004
【図３】
0003719889.tif 000005
【図４】
0003719889.tif 000006
【図５】
0003719889.tif 000007
【図６】
0003719889.tif 000008
【図７】
0003719889.tif 000009
【図８】
0003719889.tif 000010
【図９】
0003719889.tif 000011
【図１０】
0003719889.tif 000012